(57)【要約】【課題】伸縮性の布地を用いて、従来に比べて、袖部分の上下の縁が嵩張らず、しかも、簡単かつ廉価に、締め付け力、締め付け方向が調整されたブラジャーを提案すること。【解決手段】ブラジャー１では、帯状の伸縮性布地７〜９を左右の袖部４の表裏の袖布５、６の上辺縁部分あるいは下辺縁部分に縫い付けることにより装着時の締め付け力を得るようにしている。締め付け力の異なる伸縮性布地を用いることにより締め付け力を調整できる。また、同一の伸縮性布地７〜９を必要枚数だけ重ねて縫い付けることにより、必要とされる締め付け力を得ることができる。簡単かつ廉価に必要な締め付け力を付与でき、しかもフィット感に優れ、上下の縁部分が嵩張らないブラジャーを提供できる。【選択図】図１
2008144340.tif 000002
【特許請求の範囲】
【請求項１】
左右のカップ部と、これらのカップ部を繋ぐベース部と、このベース部の左右の端に取り付けられている左右の袖部とを有するブラジャーの締め付け力調整方法であって、
左右の各袖部は、所定形状の袖布、および、当該袖布の上辺縁部分および下辺縁部分に沿って縫合した伸縮性帯状布を備え、
当該伸縮性帯状布は、裁断されても断ち切り部がほつれない伸縮性布地を帯状に裁断することにより得られたものであり、
前記伸縮性帯状布の縁端は、当該伸縮性帯状布の折り返し、別個のテープ材の縫合などの縁端処理が施されることなく、前記伸縮性布地の耳部または当該伸縮性布地の裁断時の断ち切り部のまま残っており、
前記伸縮性帯状布の伸縮力の調整、前記伸縮性帯状布の寸法の調整、前記伸縮性帯状布の積層枚数の調整のうち、少なくともいずれか一つを採用して、装着時の締め付け力を調整することを特徴とするブラジャーの締め付け力調整方法。
【請求項２】
請求項１に記載のブラジャーの締め付け力調整方法において、
前記左右の各袖部の上辺縁部分および下辺縁部分の少なくとも一方は曲線状輪郭の縁部分であり、
前記伸縮性帯状布は、前記曲線状輪郭に対応した一定間隔の曲線状裁断線に沿って裁断することにより得られた一定幅の湾曲帯状の伸縮性布地であり、この湾曲帯状の伸縮性布地を前記曲線状輪郭の縁部分に沿って縫合することを特徴とするブラジャーの締め付け力調整方法。
【請求項３】
請求項１または２に記載のブラジャーの締め付け力調整方法において、
左右の各袖部における前記袖布は、表側袖布、および、装着者の肌に接する裏側袖布を備えており、
前記伸縮性帯状布を、前記表側袖布および前記裏側袖布の間に挟んで縫合することを特徴とするブラジャーの締め付け力調整方法。
【請求項４】
請求項３に記載のブラジャーの締め付け力調整方法において、
前記裏側袖布は、裁断されても断ち切り部がほつれない伸縮性布地を裁断することにより得られた伸縮性袖布であり、
当該伸縮性袖布の縁端を、当該伸縮性袖布の折り返し、別個のテープ材の縫合などの縁端処理が施されることなく、前記伸縮性布地の耳部または当該伸縮性布地の裁断時の断ち切り部のまま残すことを特徴とするブラジャーの締め付け力調整方法。
【請求項５】
請求項１ないし４のうちのいずれかの項に記載のブラジャーの締め付け力調整方法において、
左右の各袖部における上辺縁部分および下辺縁部分以外の部分に、裁断されても断ち切り部がほつれない伸縮性布地を裁断することにより得られた所定形状の伸縮性布地片を所定の方向に沿って取り付けて、装着時における締め付け方向を調整し、
前記伸縮性布地片の縁端を、当該伸縮性布地片の折り返し、別個のテープ材の縫合などの縁端処理が施されることなく、前記伸縮性布地の耳部または当該伸縮性布地の裁断時の断ち切り部のまま残すことを特徴とするブラジャーの締め付け力調整方法。
【請求項６】
請求項１ないし５のうちのいずれかの方法により締め付け力が調整されていることを特徴とするフラットフィットブラジャー。
【発明の詳細な説明】
【技術分野】
【０００１】
本発明は、左右の袖部(バック部)に伸縮性の素材を用いて装着時の締め付け力を簡単かつ廉価に調整することができるブラジャーの締め付け力調整方法に関するものである。
【背景技術】
【０００２】
一般的な仕様のブラジャーでは、適切な締め付け力で装着できるように、その左右の袖部の布地における上下の縁部分に沿って１０mm、１３mm、２０mmなどの幅のエラスティックゴム紐が、二点千鳥、四点千鳥ミシンを使用して、縫い付けられている。エラスティックゴム紐は厚みが２〜３mm程度あるので、袖部上下の縁部分の厚みが、それ以外の部分に比べて分厚くなってしまう。このため、装着時には、袖部上下の縁部分の厚みが目立ち、フィット感も悪い。また、長時間着用すると、ゴム紐が当っている部分に痕が残り、肌の弱い人の場合にはゴム紐が当っている部分が赤くはれてしまうこともある。
【０００３】
特許文献１では、ブラジャーの左右の袖部(バック部)の上辺部、中央部および下辺部のそれぞれの部位に強・弱・中のパワーを備えたヘムパワーネットなどの伸縮性の編地を用いる構成が提案されている。特許文献２では、ブラジャーの袖部を１枚の伸縮性編地から形成し、その上下の縁部分をそれらの間の部分よりも強い伸縮パワーとなるようにすることのできるブラジャーの製造方法が提案されている。
【特許文献１】特開平９−３０２５０５号公報
【特許文献２】特開平２００２−３３９１１０号公報
【発明の開示】
【発明が解決しようとする課題】
【０００４】
これらの特許文献において提案されているブラジャーは、ヘムパワーネットなどの伸縮性の編地を用いているので、厚みのあるエラスティックゴム紐を用いて締め付け力を付与している場合に比べて、フィット感が良く、嵩張らないという利点がある。
【０００５】
しかしながら、特許文献１のブラジャーは、袖部の下辺部ではヘムパワーネットなどを用いたことにより段差が解消されているものの、袖部の上辺部は布地の折り返し部を形成したりテープなどが配置されているので、上辺部に沿って厚い部分が帯状あるいは線状に形成されている。厚い部分が帯状あるいは線状に形成されていると、袖部を肌にフィットさせたときに、袖部の着圧や外側からの圧迫によって、帯状あるいは線状の厚い部分が肌に強く押し付けられて食い込んだ状態になり易い。従って、袖部の上辺部では依然として着用痕が残る可能性があり、当該部分の装着感が悪く、フィット感に欠けるという問題がある。
【０００６】
また、特許文献２では、部位によって伸縮力が異なる編地を袖部の形状に一体に編成し、これを一枚ずつあるいは複数枚を抜き糸によってつなげた形状にして生産している。このようにすると、伸縮性の編地を裁断したり縁処理したりせずに使用することができ、しかもエラスティックテープなどによる段差を作らずに袖部の上辺部および下辺部に締め付け力を与えることができるものの、編地を製造する際に、袖部の形状や伸縮力の分布の設定に合わせて設備の設定を変更したり、あるいは専用の設備が必要になる場合がある。従って、製造設備が複雑であり、また、小ロット生産を行うと製造設備の運転効率が悪くなり、製造コストが上昇するという問題点がある。
【０００７】
本発明の課題は、伸縮性布地を用いて、簡単かつ廉価に、締め付け力、締め付け方向を調整することができ、且つ、長時間着用しても肌に着用痕が残らず、フラットなフィット感を与えることができるブラジャーの締め付け力調整方法を提案することにある。
【課題を解決するための手段】
【０００８】
上記の課題を解決するために、本発明のブラジャーの締め付け力調整方法は、
左右のカップ部と、これらのカップ部を繋ぐベース部と、このベース部の左右の端に取り付けられている左右の袖部とを有するブラジャーの締め付け力調整方法であって、
左右の各袖部は、所定形状の袖布、および、当該袖布の上辺縁部分および下辺縁部分に沿って縫合した伸縮性帯状布を備え、
当該伸縮性帯状布は、裁断されても断ち切り部がほつれない伸縮性布地を帯状に裁断することにより得られたものであり、
前記伸縮性帯状布の縁端は、当該伸縮性帯状布の折り返し、別個のテープ材の縫合などの縁端処理が施されることなく、前記伸縮性布地の耳部または当該伸縮性布地の裁断時の断ち切り部のまま残っており、
前記伸縮性帯状布の伸縮力の調整、前記伸縮性帯状布の寸法の調整、前記伸縮性帯状布の積層枚数の調整のうち、少なくともいずれか一つを採用して、装着時の締め付け力を調整することを特徴としている。
【０００９】
本発明では、伸縮性布地を帯状に裁断したものを各袖部の袖布の上辺縁部分あるいは下辺縁部分に沿って取り付けることにより、装着時の締め付け力を得るようにしている。このとき、伸縮性帯状布として、締め付け力の異なる伸縮性布地から適切な締め付け力のものを選択して用いるようにしている。あるいは、必要とする締め付け力が得られるように伸縮性帯状布の寸法を調整している。あるいは、同一または異なる伸縮力の伸縮性帯状布を、必要な締め付け力が得られるように重ね合わせて取り付けるようにしている。このようにすれば、締め付け力、締め付け方向を必要な強さおよび方向に自在に調整することができる。
【００１０】
本発明では、このような構成により、簡単かつ廉価に、必要な締め付け力を備えたブラジャーを提供できる。また、ほつれない伸縮性布地を裁断して得られた伸縮性帯状布を縁処理をしないでそのまま袖布に取り付けることにより、袖部の上辺縁部分および下辺縁部分に、肌に食い込むような段差ができない。よって、長時間着用しても肌に着用痕が残らず、フラットなフィット感を与えることができる。また、伸縮性帯状布は、その形状に合わせて製造する必要がなく汎用品の一定幅の伸縮性布地を裁断するだけで作製できるので、小ロット生産でも廉価かつ簡易に製造することができる。
【００１１】
本発明において、前記左右の各袖部の上辺縁部分および下辺縁部分の少なくとも一方は曲線状輪郭の縁部分であり、前記伸縮性帯状布は、前記曲線状輪郭に対応した一定間隔の曲線状裁断線に沿って裁断することにより得られた一定幅の湾曲帯状の伸縮性布地であり、この湾曲帯状の伸縮性布地を前記曲線状輪郭の縁部分に沿って縫合するようにしてもよい。このようにすると、袖部の縁部分が湾曲形状であっても伸縮性帯状布を取り付けることができるので、あらゆる形状の袖部に適用できる。
【００１２】
本発明において、左右の各袖部における前記袖布は、表側袖布、および、装着者の肌に接する裏側袖布を備えており、前記伸縮性帯状布を、前記表側袖布および前記裏側袖布の間に挟んで縫合するとよい。このようにすると、伸縮性帯状布が裏側袖布によって覆われるので、縁処理されていない伸縮性帯状布の縁端部が外から見えなくなり、見栄えがよい。また、伸縮性帯状布の縁端部が直接肌に触れないので、装着時に肌に当たる面がよりフラットになり、着用感が良好になる。
【００１３】
本発明において、前記裏側袖布は、裁断されても断ち切り部がほつれない伸縮性布地を裁断することにより得られた伸縮性袖布であり、当該伸縮性袖布の縁端を、当該伸縮性袖布の折り返し、別個のテープ材の縫合などの縁端処理が施されることなく、前記伸縮性布地の耳部または当該伸縮性布地の裁断時の断ち切り部のまま残すようにしてもよい。このように、裏側袖布として伸縮性帯状布と同様の伸縮性があり縁端処理が不要な布地を用いることができれば、裏側袖布をその形状に合わせて製造する必要がなく、汎用品の一定幅の伸縮性布地を裁断するだけで作製できるので、小ロット生産でも廉価かつ簡易に製造することができる。さらに、裏側袖布と伸縮性帯状布の材料を共通化して同一の伸縮性布地から裁断して作製することもできるので、さらに廉価に製造することができる。
【００１４】
本発明において、左右の各袖部における上辺縁部分および下辺縁部分以外の部分に、裁断されても断ち切り部がほつれない伸縮性布地を裁断することにより得られた所定形状の伸縮性布地片を所定の方向に沿って取り付けて、装着時における締め付け方向を調整し、前記伸縮性布地片の縁端を、当該伸縮性布地片の折り返し、別個のテープ材の縫合などの縁端処理が施されることなく、前記伸縮性布地の耳部または当該伸縮性布地の裁断時の断ち切り部のまま残すようにしてもよい。このようにすると、伸縮性布地片をさらに取り付けることにより任意の方向の締め付け力を調整できる。よって、さらにフィット感を良好にすることができる。
【００１５】
一方、本発明のフラットフィットブラジャーは、上記の方法により装着時の締め付け力が調整されていることを特徴としている。従って、必要な強さあるいは方向に締め付け力を加えることができる。また、着用痕が残らず、フラットなフィット感を与えることができる。また、小ロット生産でも廉価かつ簡易に製造できる。
【発明の効果】
【００１６】
本発明によれば、必要とされる締め付け力を備えたブラジャー（フラットフィットブラジャー）を簡単に製造でき、小ロット生産でも廉価に提供することができる。また、本発明によれば、長時間着用しても肌に着用痕が残らず、フィット感が良好なブラジャー（フラットフィットブラジャー）を簡単に製造でき、小ロット生産でも廉価に提供することができる。
【発明を実施するための最良の形態】
【００１７】
以下に、図面を参照して、本発明を適用したブラジャーの実施の形態を説明する。
【００１８】
図１は本実施の形態に係るブラジャーの右半分を示す平面展開図であり、図２はその袖部の分解斜視図である。ブラジャー１（フラットフィットブラジャー）は、一般的な形状のものであり、左右の円錐状あるいは円弧状のカップ部２と、これらを繋ぐベース部３と、ベース部３の左右の縁に縫い付けられている左右の袖部(バック部)４とを備えており、全体として略左右対称形状をしている。左右の袖部４は装着時に所定の締め付け力が得られるように伸縮性を備えている。
【００１９】
袖部４は、基本的に、表側袖布５と、肌に接する裏側袖布６と、これらの間に挟まれた状態で縫い付けられているパワーネットなどからなる帯状の伸縮性布地７、８、９とを備えている。表側袖布５および裏側袖布６はほぼ同一の輪郭をしており、上辺縁部分１０が湾曲状輪郭部分１１および湾曲状輪郭部分１２によって規定されており、下辺縁部分１３は直線状輪郭形状をしている。
【００２０】
上辺縁部分１０には、その湾曲状輪郭部分１１および１２に沿って、一定幅の帯状の伸縮性布地７および８（伸縮性帯状布）が縫い付けられている。これらの伸縮性布地７、８は湾曲状輪郭部分１１、１２に沿った湾曲状の一定幅の布地である。また、下辺縁部分１３にも一定幅の帯状の伸縮性布地９（伸縮性帯状布）が縫い付けられている。伸縮性布地８は下辺縁部分１３に沿った直線状の一定幅の布地である。本例では、表側袖布５および裏側袖布６の間に、これらの伸縮性布地７〜９が挟み込まれた状態で縫い付けられている。
【００２１】
このように構成したブラジャー１では、その左右の袖部４に、パワーネットなどからなる帯状の伸縮性布地７〜９によって所定の締め付け力が付与されている。これらの伸縮性布地７〜９はエラスティックゴム紐に比べて薄いので、着用時に上下の縁部分に盛り上がりができず、嵩張らずに、綺麗なフラットラインを出すことができる。また、エラスティックゴム紐のように線状に肌に食い込むこともないので、着用痕が肌に付くことも防止できる。さらには、上下の縁部分が肌に擦れ、これらの部位が当っている肌の部分に炎症が起きてしまうことも回避できる。
【００２２】
ここで、ブラジャー１の装着時(着用時)の締め付け力を調整するためには、使用する伸縮性布地７〜９として、適切な伸縮力を備えたものを用いればよい。したがって、簡単かつ廉価に締め付け力を調整することができる。
【００２３】
また、同一幅の伸縮性布地を多数枚用意しておき、伸縮性布地７〜９の取り付け個所に、２枚あるいは３枚以上重ねて取り付けることによっても、締め付け力を調整することができる。また、伸縮性布地の幅をかえることによっても締め付け力を調整することができ、さらに締め付け力の異なる伸縮性布地を組み合わせることにより自在に締め付け力を調整することができる。これらのどの場合においても、締め付け力の調整が簡単であり、また、袖部分などと同一素材のものを用いればさらに、極めて廉価である。
【００２４】
次に、ブラジャー１においては、その袖部４における締め付け方向も簡単に調整することができる。例えば、図３に示すように、袖部４Ａにおいて、パワーネットなどからなる一定幅の直線状の伸縮性布地２０（伸縮性布地片）を、その内側端が下辺縁部分１３の内側端に位置し、その外側端が上辺縁部分１０における湾曲状輪郭部分１１、１２の間の部位に位置するように、斜めに表裏の袖布５、６に縫い付ける。このようにすると、後側に向けて斜め上方に引き上げる締め付け力成分を発生させることができる。このようにして、取り付ける伸縮性布地の方向を調整することにより、左右の袖部４の締め付け方向も簡単かつ廉価に調整することができる。
【００２５】
なお、表裏の袖布５、６もストレッチレースやパワーネットなどの伸縮性布地から形成してもよい。また、袖部の形状は、上辺縁部分および下辺縁部分を共に直線状輪郭として、カップ側から外側端に向けて幅が漸減する細長い三角形状であってもよいし、その他の形状であってもよい。
【００２６】
また、本実施形態において、上辺縁部分１０および下辺縁部分１３において肌に食い込むような段差を作らないために、上辺縁部分１０および下辺縁部分１３における表側袖布５および裏側袖布６の端縁を、布地の耳あるいは布地を断ち切ったままの状態で重ね合わせて縫うようにするとよい。すなわち、表側袖布５あるいは裏側袖布６の端縁においては、布地を折り返して縫製したり、厚みのある異素材のテープを貼り付けるなどの段差ができてしまうような縁処理は行わない。そのためには、表側袖布５として用いられるストレッチレースや裏側袖布６として用いられるパワーネットなどの伸縮性布地を、断ち切っても端部がほつれてこないものにするとよい。
【００２７】
例えば、表側袖布５として薄いストレッチレースを用いるときは、表側袖布５の上辺縁部分１０または下辺縁部分１３、あるいはその両方における端縁に、レース生地の耳部分を用いる。レース生地の耳部分はスカラップ状などの装飾形状に加工されているので、このようにすると、上辺縁部分１０および下辺縁部分１３をスカラップ状の装飾形状にすることができると共に、厚みがでてしまうような縁処理が不要となる。
【００２８】
一方、裏側袖布６は、パワーネットなどの伸縮性布地を袖部４の形状に裁断するだけで形成される。つまり、上辺縁部分１０および下辺縁部分１３における裏側袖布６の端縁は、いずれも、布地を断ち切ったままの状態になっているが、ほつれてこない素材であるため、縁処理なしで使える。なお、袖部４の上辺縁部分１０および下辺縁部分１３において、表側袖布５の端縁は裏側袖布６の端縁よりも若干外側にはみ出しているので、裏側袖布６の端縁における断ち切り部分は、ブラジャーの表側からは見えない。
【００２９】
本実施形態において、裏側袖布６および伸縮性布地７〜９に用いる布地を同じ薄手の伸縮性布地にしてもよい。このようにすると、材料を共通化することができるため廉価にすることができると共に、袖部４全体が肌にフィットするので、フィット感が出せる。また、薄い面状の伸縮性布地７〜９は肌に圧力を与えるが肌に食い込まないので、着用痕が残らず、窮屈にならない程度の心地よいフィット感を与えることができる。
【００３０】
また、裏側袖布６および伸縮性布地７〜９を縁処理不要な伸縮性布地にすれば、裏側袖布６と伸縮性布地７〜９を布地から裁断するだけで作製できる。よって、布地を袖部４の形状に合わせて製造する必要がないので、汎用品の一定幅の伸縮性布地から作製できる。よって、小ロット生産でも廉価かつ簡易に製造することができる。また、伸縮性布地７〜９の端処理が不要であれば、袖部４の上辺縁部分１０および下辺縁部分１３に伸縮性布地７〜９を縫い付けたときに、上辺縁部分１０および下辺縁部分１３の厚さが薄手のパワーネット１枚分だけ厚くなるだけで済むので、伸縮性布地７〜９を取り付けたことにより肌に食い込むような段差が形成されない。
【図面の簡単な説明】
【００３１】
【図１】本発明を適用したブラジャーの右半分を示す説明図である。
【図２】図１のブラジャーの袖の部分を示す分解斜視図である。
【図３】袖の部分の別の例を示す説明図である。
【符号の説明】
【００３２】
１    ブラジャー
２    カップ部
３    ベース部
４、４Ａ    袖部
５    表側袖布
６    裏側袖布
７、８、９  伸縮性布地
１０  上辺縁部分
１１、１２  湾曲状輪郭部分
１３  下辺縁部分
２０  伸縮性布地
【図１】
2008144340.tif 000003
【図２】
2008144340.tif 000004
【図３】
2008144340.tif 000005